(57)【要約】【課題】表示装置に表示する映像の切り替えに応じて強制的に再生装置の電源オン／オフを行うのではなく、ユーザの映像視聴に適した再生装置の制御を行うことができる映像表示システム、表示装置及び再生装置を提供する。【解決手段】再生装置が再生する映像を表示している際に、映像の入力元の切替操作が表示装置にてなされた場合、表示装置は再生装置へ切替通知を送信し、計時を開始する。切替通知を受信した再生装置は再生を停止して停止通知を表示装置へ送信し、停止通知を受信した表示装置が入力元の切り替えを行う。所定時間の経過後、表示装置は再生装置による再生再開を問い合わせるメッセージを表示し、ユーザの選択に応じて再生装置の再生再開及び表示装置の入力切替を行う。【選択図】図９
2010016490.tif 000002
【特許請求の範囲】
【請求項１】
他の装置からの映像信号が入力される入力部、該入力部から入力される映像信号を含む複数の映像信号から一の映像信号を選択して出力する選択手段、及び該選択手段が選択して出力した映像信号に係る映像を表示する表示手段を有する表示装置と、記録媒体に記録された映像を再生して表示に係る映像信号を出力する再生手段、及び前記表示装置の入力部に接続されて、前記再生手段が再生した映像信号を前記表示装置へ出力する出力部を有する再生装置とを備え、前記表示装置及び再生装置が情報の送受信を相互に行う通信手段をそれぞれ有する映像表示システムにおいて、
前記表示装置は、
前記選択手段の選択を切り替える操作を受け付ける切替操作受付手段と、
前記入力部から入力される映像信号から他の映像信号へ前記選択手段による選択を切り替える操作を前記切替操作受付手段が受け付けた場合に、前記通信手段により前記再生装置へ切り替えを通知する切替通知手段と、
計時を行う計時手段と、
前記切替操作受付手段が前記操作を受け付けた後、前記計時手段による計時が所定時間を経過した場合に、所定時間の経過に係る報知情報を表示する処理を行う情報表示処理手段と
を有し、
前記再生装置は、
前記表示装置の切替通知手段により他の映像信号への切り替えを通知された場合に、前記再生手段による再生を停止する停止手段
を有すること
を特徴とする映像表示システム。
【請求項２】
前記表示装置は、
テレビジョン放送に係る番組及び番組表情報を受信する受信手段と、
該受信手段が受信した番組表情報を基に、番組の放送が終了したか否かを判定する終了判定手段と
を有し、
前記選択手段は、前記入力部から入力される映像信号及び前記受信手段が受信した番組に係る映像信号を含む複数の映像信号から一の映像信号を選択して出力するようにしてあり、
前記入力部から入力される映像信号から前記受信手段が受信した番組に係る映像信号へ前記選択手段による選択を切り替える操作を前記切替操作受付手段が受け付けた後、前記計時手段による計時が所定時間を経過し、且つ、前記終了判定手段が前記番組の放送が終了したと判定した場合に、前記情報表示処理手段は前記報知情報を表示する処理を行うようにしてあること
を特徴とする請求項１に記載の映像表示システム。
【請求項３】
前記報知情報は、前記計時手段の計時結果を含むこと
を特徴とする請求項１又は請求項２に記載の映像表示システム。
【請求項４】
前記報知情報は、前記再生装置の再生手段による再生を開始するか否かの問い合わせを含み、
前記表示装置は、
前記報知情報に応じて、前記再生を開始するか否かの選択を受け付ける選択受付手段と、
該選択受付手段により、前記再生を開始する選択が受け付けられた場合に、前記通信手段により前記再生装置へ、前記選択の受け付けを通知する選択通知手段と
を有し、
前記再生装置の再生手段は、前記選択通知手段により前記再生を開始する選択の受け付けを通知された場合に、再生を開始するようにしてあること
を特徴とする請求項１から請求項３までのいずれか１つに記載の映像表示システム。
【請求項５】
前記報知情報は、前記再生装置の電源をオフするか否かの問い合わせを含み、
前記表示装置は、
前記報知情報に応じて、前記再生装置の電源をオフするか否かの選択を受け付ける選択受付手段と、
該選択受付手段により、前記再生装置の電源をオフする選択が受け付けられた場合に、前記通信手段により前記再生装置へ、前記選択の受け付けを通知する選択通知手段と
を有し、
前記再生装置は、前記表示装置の選択通知手段により電源をオフする選択の受け付けを通知された場合に、電源をオフする処理を行うようにしてあること
を特徴とする請求項１から請求項４までのいずれか１つに記載の映像表示システム。
【請求項６】
テレビジョン放送に係る番組及び番組表情報を受信する受信手段、他の装置からの映像信号が入力される入力部、前記受信手段が受信した番組に係る映像信号及び前記入力部から入力される映像信号を含む複数の映像信号から一の映像信号を選択して出力する選択手段、並びに該選択手段が選択して出力した映像信号に係る映像を表示する表示手段を有する表示装置と、記録媒体に記録された映像を再生して表示に係る映像信号を出力する再生手段、及び前記表示装置の入力部に接続されて、前記再生手段が再生した映像信号を前記表示装置へ出力する出力部を有する再生装置とを備え、前記表示装置及び再生装置が情報の送受信を相互に行う通信手段をそれぞれ有する映像表示システムにおいて、
前記表示装置は、
前記選択手段の選択を切り替える操作を受け付ける切替操作受付手段と、
前記入力部から入力される映像信号から他の映像信号へ前記選択手段による選択を切り替える操作を前記切替操作受付手段が受け付けた場合に、前記通信手段により前記再生装置へ切り替えを通知する切替通知手段と、
前記受信手段が受信した番組表情報を基に、番組の放送が終了したか否かを判定する終了判定手段と、
前記入力部から入力される映像信号から前記受信手段が受信した番組に係る映像信号へ前記選択手段による選択を切り替える操作を前記切替操作受付手段が受け付けた後、前記終了判定手段が前記番組の放送が終了したと判定した場合に、所定時間の経過に係る報知情報を表示する処理をおこなう情報表示処理手段と
を有し、
前記再生装置は、
前記表示装置の切替通知手段により他の映像信号への切り替えを通知された場合に、前記再生手段による再生を停止する停止手段
を有すること
を特徴とする映像表示システム。
【請求項７】
他の装置からの映像信号が入力される入力部、該入力部から入力される映像信号を含む複数の映像信号から一の映像信号を選択して出力する選択手段、及び該選択手段が選択して出力した映像信号に係る映像を表示する表示手段を有する表示装置と、記録媒体に記録された映像を再生して表示に係る映像信号を出力する再生手段、及び前記表示装置の入力部に接続されて、前記再生手段が再生した映像信号を前記表示装置へ出力する出力部を有する再生装置とを備え、前記表示装置及び再生装置が情報の送受信を相互に行う通信手段をそれぞれ有する映像表示システムにおいて、
前記表示装置は、
前記選択手段の選択を切り替える操作を受け付ける切替操作受付手段と、
前記入力部から入力される映像信号から他の映像信号へ前記選択手段による選択を切り替える操作を前記切替操作受付手段が受け付けた場合に、前記通信手段により前記再生装置へ切り替えを通知する切替通知手段と、
前記再生装置から所定時間の経過を通知された場合に、所定時間の経過に係る報知情報を表示する処理をおこなう情報表示処理手段と
を有し、
前記再生装置は、
前記表示装置の切替通知手段により他の映像信号への切り替えを通知された場合に、前記再生手段による再生を停止する停止手段と、
計時を行う計時手段と、
前記表示装置の切替通知手段により他の映像信号への切り替えを通知された後、前記計時手段による計時が所定時間を経過した場合に、前記通信手段により前記表示装置へ、所定時間の経過を通知する経過通知手段と
を有すること
を特徴とする映像表示システム。
【請求項８】
前記表示装置は、
テレビジョン放送に係る番組及び番組表情報を受信する受信手段と、
該受信手段が受信した番組表情報を基に、番組の放送が終了したか否かを判定する終了判定手段と
を有し、
前記選択手段は、前記入力部から入力される映像信号及び前記受信手段が受信した番組に係る映像信号を含む複数の映像信号から一の映像信号を選択して出力するようにしてあり、
前記入力部から入力される映像信号から前記受信手段が受信した番組に係る映像信号へ、前記選択手段による選択が切り替えられた後、前記再生装置から所定時間の経過を通知され、且つ、前記終了判定手段が前記番組の放送が終了したと判定した場合に、前記情報表示処理手段は、前記報知情報を表示する処理を行うようにしてあること
を特徴とする請求項７に記載の映像表示システム。
【請求項９】
他の装置からの映像信号が入力される入力部と、該入力部から入力される映像信号を含む複数の映像信号から一の映像信号を選択して出力する選択手段と、該選択手段が選択して出力した映像信号に係る映像を表示する表示手段と、前記他の装置との間で情報の送受信を行う通信手段とを備える表示装置において、
前記選択手段の選択を切り替える操作を受け付ける切替操作受付手段と、
前記入力部から入力される映像信号から他の映像信号へ前記選択手段による選択を切り替える操作を前記切替操作受付手段が受け付けた場合に、前記通信手段により前記他の装置へ切り替えを通知する切替通知手段と、
計時を行う計時手段と、
前記切替操作受付手段が前記操作を受け付けた後、前記計時手段による計時が所定時間を経過した場合に、所定時間の経過に係る報知情報を表示する処理を行う情報表示処理手段と
を備えること
を特徴とする表示装置。
【請求項１０】
テレビジョン放送に係る番組及び番組表情報を受信する受信手段と、
該受信手段が受信した番組表情報を基に、番組の放送が終了したか否かを判定する終了判定手段と
を備え、
前記選択手段は、前記入力部から入力される映像信号及び前記受信手段が受信した番組に係る映像信号を含む複数の映像信号から一の映像信号を選択して出力するようにしてあり、
前記入力部から入力される映像信号から前記受信手段が受信した番組に係る映像信号へ前記選択手段による選択を切り替える操作を前記切替操作受付手段が受け付けた後、前記計時手段による計時が所定時間を経過し、且つ、前記終了判定手段が前記番組の放送が終了したと判定した場合に、前記情報表示処理手段は前記報知情報を表示する処理を行うようにしてあること
を特徴とする請求項９に記載の表示装置。
【請求項１１】
記録媒体に記録された映像を再生して表示に係る映像信号を出力する再生手段と、該再生手段が再生した映像信号を、映像の表示を行う他の装置へ出力する出力部と、前記他の装置との間で情報の送受信を行う通信手段とを備える再生装置において、
前記他の装置が表示する映像が前記出力部から出力する映像信号に係る映像から他の映像へ切り替えられた旨を、前記通信手段により通知された場合に、前記再生手段による再生を停止する停止手段と、
計時を行う計時手段と、
前記他の装置から切り替えられた旨を通知された後、前記計時手段による計時が所定時間を経過した場合に、前記通信手段により前記他の装置へ、所定時間の経過を通知する経過通知手段と
を備えること
を特徴とする再生装置。
【発明の詳細な説明】
【技術分野】
【０００１】
本発明は、映像を表示する液晶ディスプレイなどの表示装置と、記録媒体に記録された映像を再生する再生装置とを備えて構成される映像表示システム、並びにこのシステムの構成要素をなす表示装置及び再生装置に関する。
【背景技術】
【０００２】
従来、ＤＶＤ（Digital Versatile Disk）又はハードディスク等の記録媒体にテレビジョン放送の映像を記録（録画）して再生するＤＶＤレコーダ又はハードディスクレコーダ等が普及している。また、ＤＶＤなどに記録された映像の再生のみを行うＤＶＤプレーヤなども普及している。これらの映像を再生する機能を有する再生装置は、映像信号を送信するための信号線を介して液晶ディスプレイなどの表示装置が接続され、表示装置へ映像信号を出力することによって映像を表示することができる。
【０００３】
例えばユーザが、再生装置による映像の再生処理を停止し、表示装置が表示する映像の入力元を再生装置以外（チューナが受信したテレビ番組の映像又は他の再生装置から入力される映像等）に切り替えた場合、再生装置は電源が投入された状態で放置されることとなる。また例えばユーザが、再生処理を停止せずに表示装置が表示する映像の入力元を再生装置以外に切り替えた場合、再生装置は再生処理を継続して行うこととなる。このような場合、ユーザは再生装置の再生処理及び電源オフ等を自らの操作で行わなければならない。
【０００４】
近年では、デジタルの映像信号を再生装置から表示装置へ出力するために、ＨＤＭＩ（High-Definition Multimedia Interface）の規格に対応した端子が表示装置及び再生装置にそれぞれ設けられている。ＨＤＭＩ規格では、１本のケーブルで映像及び音声を再生装置から表示装置へ出力することができる。更には、表示装置及び再生装置の間でデータの送受信を行うことができ、ＣＥＣ（Consumer Electronics Control）と呼ばれる制御方式を利用して互いの制御を行うことができる。これにより、再生装置が映像の再生を開始した場合に表示装置の電源を自動的にオンして映像の表示を開始する、又は表示装置の電源がオフされた場合に再生装置の電源を自動的にオフする等の制御を行うことができる。
【０００５】
特許文献１においては、入力切替に連動して、選択された入力に接続される外部機器を自動的に制御する外部機器制御装置が提案されている。この外部機器制御装置は、入力切り替え時に制御すべき外部機器のメーカー名、機器名及びリモコンコード等の情報が設定されており、この設定内容に基づいて、入力切り替え時に、その外部入力に接続されている外部機器に対して電源オン及び再生開始等の制御を行っている。例えば、”ビデオ１”の端子に外部機器が接続されており、入力が”ビデオ１”に切り替えられた場合、外部機器の電源をオンするか、又は電源をオンして再生を開始するかを設定することができる。また例えば、入力が”ビデオ１”以外に切り替えられた場合、外部機器の電源をオフするか、又は再生を停止して電源をオフするかを設定することができる。
【特許文献１】特開２００２−３５４３５１号公報
【発明の開示】
【発明が解決しようとする課題】
【０００６】
例えばユーザは、記録媒体に記録された映画などの映像を再生装置にて再生して視聴している途中に、テレビジョン放送のニュース番組を視聴するなど、種々の理由で表示装置に表示する映像の切り替えを一時的に行う場合がある。このような場合、特許文献１に記載の外部機器制御装置は再生装置の電源を自動的（強制的）にオフする制御を行う。しかし上記のような場合、例えばユーザは映像の切り替えを一時的に行ってニュース番組を視聴した後、再生装置が再生する映像の視聴を続けるために、表示を元の映像に戻すよう切り替えを行う可能性が高い。特許文献１の外部機器制御装置は、表示を元の映像に戻すよう切り替えが行われた場合、再生装置の電源を自動的にオンして再生することができる。しかしながら、電源を一旦オフされた再生装置が電源を再度オンされた場合、電源をオフせずにオンしたままの状態で再生を開始する場合と比較して、再生の開始までに要する時間が長い。このため、再生装置の強制的な電源オフの制御を行うことによって、ユーザの映像視聴に係る快適性などを低下させる虞がある。
【０００７】
本発明は、斯かる事情に鑑みてなされたものであって、その目的とするところは、表示装置に表示する映像の切り替えに応じて強制的に再生装置の電源オン／オフを行うのではなく、ユーザの映像視聴に適した再生装置の制御を行うことができる映像表示システム、表示装置及び再生装置を提供することにある。
【課題を解決するための手段】
【０００８】
本発明に係る映像表示システムは、他の装置からの映像信号が入力される入力部、該入力部から入力される映像信号を含む複数の映像信号から一の映像信号を選択して出力する選択手段、及び該選択手段が選択して出力した映像信号に係る映像を表示する表示手段を有する表示装置と、記録媒体に記録された映像を再生して表示に係る映像信号を出力する再生手段、及び前記表示装置の入力部に接続されて、前記再生手段が再生した映像信号を前記表示装置へ出力する出力部を有する再生装置とを備え、前記表示装置及び再生装置が情報の送受信を相互に行う通信手段をそれぞれ有する映像表示システムにおいて、前記表示装置は、前記選択手段の選択を切り替える操作を受け付ける切替操作受付手段と、前記入力部から入力される映像信号から他の映像信号へ前記選択手段による選択を切り替える操作を前記切替操作受付手段が受け付けた場合に、前記通信手段により前記再生装置へ切り替えを通知する切替通知手段と、計時を行う計時手段と、前記切替操作受付手段が前記操作を受け付けた後、前記計時手段による計時が所定時間を経過した場合に、所定時間の経過に係る報知情報を表示する処理を行う情報表示処理手段とを有し、前記再生装置は、前記表示装置の切替通知手段により他の映像信号への切り替えを通知された場合に、前記再生手段による再生を停止する停止手段を有することを特徴とする。
【０００９】
また、本発明に係る映像表示システムは、前記表示装置が、テレビジョン放送に係る番組及び番組表情報を受信する受信手段と、該受信手段が受信した番組表情報を基に、番組の放送が終了したか否かを判定する終了判定手段とを有し、前記選択手段は、前記入力部から入力される映像信号及び前記受信手段が受信した番組に係る映像信号を含む複数の映像信号から一の映像信号を選択して出力するようにしてあり、前記入力部から入力される映像信号から前記受信手段が受信した番組に係る映像信号へ前記選択手段による選択を切り替える操作を前記切替操作受付手段が受け付けた後、前記計時手段による計時が所定時間を経過し、且つ、前記終了判定手段が前記番組の放送が終了したと判定した場合に、前記情報表示処理手段は前記報知情報を表示する処理を行うようにしてあることを特徴とする。
【００１０】
また、本発明に係る映像表示システムは、前記報知情報が、前記計時手段の計時結果を含むことを特徴とする。
【００１１】
また、本発明に係る映像表示システムは、前記報知情報が、前記再生装置の再生手段による再生を開始するか否かの問い合わせを含み、前記表示装置は、前記報知情報に応じて、前記再生を開始するか否かの選択を受け付ける選択受付手段と、該選択受付手段により、前記再生を開始する選択が受け付けられた場合に、前記通信手段により前記再生装置へ、前記選択の受け付けを通知する選択通知手段とを有し、前記再生装置の再生手段は、前記選択通知手段により前記再生を開始する選択の受け付けを通知された場合に、再生を開始するようにしてあることを特徴とする。
【００１２】
また、本発明に係る映像表示システムは、前記報知情報が、前記再生装置の電源をオフするか否かの問い合わせを含み、前記表示装置は、前記報知情報に応じて、前記再生装置の電源をオフするか否かの選択を受け付ける選択受付手段と、該選択受付手段により、前記再生装置の電源をオフする選択が受け付けられた場合に、前記通信手段により前記再生装置へ、前記選択の受け付けを通知する選択通知手段とを有し、前記再生装置は、前記表示装置の選択通知手段により電源をオフする選択の受け付けを通知された場合に、電源をオフにする処理を行うようにしてあることを特徴とする。
【００１３】
また、本発明に係る映像表示システムは、テレビジョン放送に係る番組及び番組表情報を受信する受信手段、他の装置からの映像信号が入力される入力部、前記受信手段が受信した番組に係る映像信号及び前記入力部から入力される映像信号を含む複数の映像信号から一の映像信号を選択して出力する選択手段、並びに該選択手段が選択して出力した映像信号に係る映像を表示する表示手段を有する表示装置と、記録媒体に記録された映像を再生して表示に係る映像信号を出力する再生手段、及び前記表示装置の入力部に接続されて、前記再生手段が再生した映像信号を前記表示装置へ出力する出力部を有する再生装置とを備え、前記表示装置及び再生装置が情報の送受信を相互に行う通信手段をそれぞれ有する映像表示システムにおいて、前記表示装置は、前記選択手段の選択を切り替える操作を受け付ける切替操作受付手段と、前記入力部から入力される映像信号から他の映像信号へ前記選択手段による選択を切り替える操作を前記切替操作受付手段が受け付けた場合に、前記通信手段により前記再生装置へ切り替えを通知する切替通知手段と、前記受信手段が受信した番組表情報を基に、番組の放送が終了したか否かを判定する終了判定手段と、前記入力部から入力される映像信号から前記受信手段が受信した番組に係る映像信号へ前記選択手段による選択を切り替える操作を前記切替操作受付手段が受け付けた後、前記終了判定手段が前記番組の放送が終了したと判定した場合に、所定時間の経過に係る報知情報を表示する処理をおこなう情報表示処理手段とを有し、前記再生装置は、前記表示装置の切替通知手段により他の映像信号への切り替えを通知された場合に、前記再生手段による再生を停止する停止手段を有することを特徴とする。
【００１４】
また、本発明に係る映像表示システムは、他の装置からの映像信号が入力される入力部、該入力部から入力される映像信号を含む複数の映像信号から一の映像信号を選択して出力する選択手段、及び該選択手段が選択して出力した映像信号に係る映像を表示する表示手段を有する表示装置と、記録媒体に記録された映像を再生して表示に係る映像信号を出力する再生手段、及び前記表示装置の入力部に接続されて、前記再生手段が再生した映像信号を前記表示装置へ出力する出力部を有する再生装置とを備え、前記表示装置及び再生装置が情報の送受信を相互に行う通信手段をそれぞれ有する映像表示システムにおいて、前記表示装置は、前記選択手段の選択を切り替える操作を受け付ける切替操作受付手段と、前記入力部から入力される映像信号から他の映像信号へ前記選択手段による選択を切り替える操作を前記切替操作受付手段が受け付けた場合に、前記通信手段により前記再生装置へ切り替えを通知する切替通知手段と、前記再生装置から所定時間の経過を通知された場合に、所定時間の経過に係る報知情報を表示する処理をおこなう情報表示処理手段とを有し、前記再生装置は、前記表示装置の切替通知手段により他の映像信号への切り替えを通知された場合に、前記再生手段による再生を停止する停止手段と、計時を行う計時手段と、前記表示装置の切替通知手段により他の映像信号への切り替えを通知された後、前記計時手段による計時が所定時間を経過した場合に、前記通信手段により前記表示装置へ、所定時間の経過を通知する経過通知手段とを有することを特徴とする。
【００１５】
また、本発明に係る映像表示システムは、前記表示装置が、テレビジョン放送に係る番組及び番組表情報を受信する受信手段と、該受信手段が受信した番組表情報を基に、番組の放送が終了したか否かを判定する終了判定手段とを有し、前記選択手段は、前記入力部から入力される映像信号及び前記受信手段が受信した番組に係る映像信号を含む複数の映像信号から一の映像信号を選択して出力するようにしてあり、前記入力部から入力される映像信号から前記受信手段が受信した番組に係る映像信号へ、前記選択手段による選択が切り替えられた後、前記再生装置から所定時間の経過を通知され、且つ、前記終了判定手段が前記番組の放送が終了したと判定した場合に、前記情報表示処理手段は、前記報知情報を表示する処理を行うようにしてあることを特徴とする。
【００１６】
また、本発明に係る表示装置は、他の装置からの映像信号が入力される入力部と、該入力部から入力される映像信号を含む複数の映像信号から一の映像信号を選択して出力する選択手段と、該選択手段が選択して出力した映像信号に係る映像を表示する表示手段と、前記他の装置との間で情報の送受信を行う通信手段とを備える表示装置において、前記選択手段の選択を切り替える操作を受け付ける切替操作受付手段と、前記入力部から入力される映像信号から他の映像信号へ前記選択手段による選択を切り替える操作を前記切替操作受付手段が受け付けた場合に、前記通信手段により前記他の装置へ切り替えを通知する切替通知手段と、計時を行う計時手段と、前記切替操作受付手段が前記操作を受け付けた後、前記計時手段による計時が所定時間を経過した場合に、所定時間の経過に係る報知情報を表示する処理を行う情報表示処理手段とを備えることを特徴とする。
【００１７】
また、本発明に係る表示装置は、テレビジョン放送に係る番組及び番組表情報を受信する受信手段と、該受信手段が受信した番組表情報を基に、番組の放送が終了したか否かを判定する終了判定手段とを備え、前記選択手段は、前記入力部から入力される映像信号及び前記受信手段が受信した番組に係る映像信号を含む複数の映像信号から一の映像信号を選択して出力するようにしてあり、前記入力部から入力される映像信号から前記受信手段が受信した番組に係る映像信号へ前記選択手段による選択を切り替える操作を前記切替操作受付手段が受け付けた後、前記計時手段による計時が所定時間を経過し、且つ、前記終了判定手段が前記番組の放送が終了したと判定した場合に、前記情報表示処理手段は前記報知情報を表示する処理を行うようにしてあることを特徴とする。
【００１８】
また、本発明に係る再生装置は、記録媒体に記録された映像を再生して表示に係る映像信号を出力する再生手段と、該再生手段が再生した映像信号を、映像の表示を行う他の装置へ出力する出力部と、前記他の装置との間で情報の送受信を行う通信手段とを備える再生装置において、前記他の装置が表示する映像が前記出力部から出力する映像信号に係る映像から他の映像へ切り替えられた旨を、前記通信手段により通知された場合に、前記再生手段による再生を停止する停止手段と、計時を行う計時手段と、前記他の装置から切り替えられた旨を通知された後、前記計時手段による計時が所定時間を経過した場合に、前記通信手段により前記他の装置へ、所定時間の経過を通知する経過通知手段とを備えることを特徴とする。
【００１９】
本発明においては、例えばＨＤＭＩ規格のケーブル接続のように、表示装置及び再生装置が情報の送受信を相互に行うことができる構成とする。表示装置は、再生装置が再生する映像から他の映像へ、表示する映像の切替操作が行われた場合にこの旨を再生装置へ通知し、これにより再生装置は、映像の再生を停止（又は一時停止）する。また、表示装置は切替操作が行われた後に経過時間の計時を開始し、所定時間（例えば、１時間）を経過した場合には、所定時間の経過に係る報知情報を表示する。
報知情報には、切り替えからの経過時間をユーザに通知するメッセージ（例えば、「１時間経過しました」などのメッセージ）、再生装置による映像の再生を開始するか否かを問い合わせるメッセージ（例えば、「再生を再開しますか？」などのメッセージ）、又は再生装置の電源をオフするか否かを問い合わせるメッセージ（例えば、「再生装置の電源をオフしますか？」などのメッセージ）等を含むものであってよい。
所定時間の経過後にこのような報知情報を表示装置が表示することによって、ユーザに再生装置の制御を促すことができる。例えば、再生装置による映像の視聴をユーザが再開する場合には、映像の切り替え後に再生装置が強制的に電源オフされるわけではないため、再生装置による映像の再生処理を迅速に開始することができる。また、再生装置による映像の視聴をユーザが再開しない場合には、再生装置の電源オフをユーザに対して促し、電力消費を抑制することができる。
【００２０】
ただし、例えばユーザが表示を切り替えてテレビジョン放送の映像を一時的に視聴している場合、所定時間を経過した際に情報を表示すると、テレビジョン放送の視聴の妨げとなる虞がある。そこで、表示装置はテレビジョン放送の番組と共に番組表情報を受信し、この情報を基に表示している番組の放送の終了を判定する。再生装置が再生する映像からテレビジョン放送の番組に係る映像へ表示する映像が切り替えられた後、所定時間を経過し、且つ、テレビジョン放送の番組が終了した場合に、表示装置は報知情報の表示を行う。これにより、ユーザによるテレビジョン放送の視聴を妨げることなく、報知情報の表示を行うことができる。
また、テレビジョン放送の番組の終了を判定する構成の場合には、切り替えからの所定時間の計時を行わず、番組が終了した後に報知情報の表示を行う構成としてもよい。
【００２１】
経過時間が所定時間を超えたときに、例えば再生装置による映像の再生を開始するか否かを問い合わせるメッセージを表示装置が表示する構成とした場合、表示装置には映像の再生を開始するか否かに係る選択をユーザから受け付ける手段を設ける。映像の再生を開始する選択を受け付けた場合、表示装置は再生装置にこの旨を通知し、この通知により再生装置が映像の再生を開始する。また表示装置が、表示する映像を、再生装置が出力する映像に切り替えることによって、ユーザは再生装置に対する直接的な操作を行うことなく、再生装置が再生する映像の視聴を再開することができる。
【００２２】
経過時間が所定時間を超えたときに、例えば再生装置の電源をオフするか否かを問い合わせるメッセージを表示装置が表示する構成とした場合、表示装置には電源をオフするか否かに係る選択を受け付ける手段を設ける。電源をオフする選択を受け付けた場合、表示装置は再生装置にこの旨を通知し、この通知により再生装置は電源オフに係る処理を行う。また表示装置は、再生装置が出力する映像以外の映像を表示すればよい。これによりユーザは、再生装置に対する直接的な操作を行うことなく、再生装置の電源をオフすることができる。
【００２３】
また、本発明においては、表示装置による切り替えが行われた後の経過時間の計時を再生装置が行う構成としてもよい。表示装置は、再生装置が再生する映像から他の映像へ、表示する映像が切り替えられた場合に、切り替えが行われた旨を再生装置へ通知する。この通知により再生装置は再生処理を停止し、経過時間の計時を開始する。再生装置は、所定時間を経過した場合、表示装置へ所定時間が経過した旨を通知する。この通知により表示装置は、上述のような報知情報を表示する。
経過時間の計時を再生装置が行う構成であっても、表示装置が行う構成の場合と同様に、ユーザに再生装置の制御を促すことができる。また、表示装置は、再生装置から所定時間が経過した旨の通知を与えられ、且つ、テレビジョン放送の番組が終了した場合に、報知情報の表示を行う構成としてもよい。
【発明の効果】
【００２４】
本発明による場合は、再生装置が再生する映像から他の映像へ、表示装置が表示する映像が切り替えられた場合、再生装置の再生処理を停止すると共に、切り替えが行われてから所定時間が経過した後に、報知情報を表示装置が表示する構成とすることにより、表示された報知情報に対して行われるユーザの操作に基づいて再生装置の再生開始又は電源オフ等を行うことができるため、ユーザの視聴に適した再生装置の制御を行うことができる。よって、表示装置及び再生装置に対するユーザの操作性を向上させることができ、ユーザの視聴に係る快適性を向上させることができるため、表示装置及び再生装置を備える映像表示システムの利便性を向上することができる。
【発明を実施するための最良の形態】
【００２５】
（実施の形態１）
以下、本発明をその実施の形態を示す図面に基づき具体的に説明する。図１及び図２は、本発明の実施の形態１に係る映像表示システムの構成を示すブロック図であり、図１には映像表示システムを構成する表示装置の詳細を示し、図２には再生装置の詳細を示してある。図において１は液晶ディスプレイなどの表示装置であり、ＤＶＤプレーヤなどの再生装置３が再生した映像を表示部１４に表示する処理を行う。表示装置１及び再生装置３は、ＨＤＭＩ規格のケーブル７を介して接続されている。
【００２６】
表示装置１は、地上デジタルテレビジョン放送などのテレビジョン放送（以下、ＴＶ放送という）を受信するチューナ１７と、再生装置３などの外部装置にケーブル７を介して接続し、外部装置からの映像信号が入力される３つの入力端子２１〜２３とを備えており、チューナ１７が受信した映像又は入力端子２１〜２３から入力された映像のいずれか１つを表示部１４に表示することができる。
【００２７】
チューナ１７は、図示しないアンテナにてＴＶ放送の電波を受信し、受信した信号を増幅して復調することでテレビ番組に係る映像信号を取得することができ、この映像信号を選択部１６へ与える。またチューナ１７は、ＴＶ放送と共に送信される電子番組表（ＥＰＧ（Electronic Program Guide））を受信して取得することができ、取得したＥＰＧを選択部１６へ与える。
【００２８】
３つの入力端子２１〜２３は、ＨＤＭＩ規格の入力端子である。ＨＤＭＩ規格では、１つのケーブル７を介して映像及び音声に係る信号の送受信を行うことができると共に、制御情報の送受信を行うことができる。各入力端子２１〜２３は、接続されたケーブル７を介して再生装置３又はその他の外部装置から映像信号が入力される入力部２５と、再生装置３又はその他の外部装置との間で制御情報の送受信を行う通信部２６とを有している（なお、入力部２５及び通信部２６は図１において入力端子２１にのみ図示し、他の入力端子２２及び２３については図示を省略する）。各入力端子２１〜２３は、入力部２５に入力された映像信号を選択部１６へそれぞれ与える。
【００２９】
選択部１６は、チューナ１７及び３つの入力端子２１〜２３から与えられた４つの映像信号からいずれか１つの映像信号を選択して出力する。選択部１６がいずれの映像信号を出力するか、即ち選択部１６の選択の切り替えは制御部１１により制御され、また、選択部１６が出力した１つの映像信号は制御部１１へ与えられる。
【００３０】
制御部１１は、表示装置１の各部の制御処理及び種々の演算処理等を行うものであり、具体的にはＣＰＵ（Central Processing Unit）又はＭＰＵ（Micro Processing Unit）等で構成されている。制御部１１は、選択部１６から与えられた映像信号を表示処理部１３へ与える。表示処理部１３は、制御部１１から与えられた映像信号に例えばフィルタ処理又は階調補正処理等の種々の処理を行った後、映像信号を表示部１４の表示に適した信号に変換し、表示部１４へ与える。これにより表示装置１は、選択部１６が選択して出力した１つの映像信号に係る映像を表示部１４に表示することができる。
【００３１】
表示装置１は、ユーザの操作を受け付ける複数のスイッチ又はボタン等を有する操作部１２を備えている。操作部１２は、操作を受け付けた場合にその旨を制御部１１へ通知する。制御部１１は、操作部１２にて受け付けた操作に応じて、選択部１６による選択の切り替えの制御、及び表示処理部１３で行うフィルタ処理又は階調補正処理等の処理の制御等を行う。なお、操作部１２は、リモートコントローラを用いるものであってもよい。
【００３２】
また表示装置１は、制御部１１がデータの書き込み及び読み出しを行う記憶部１５を備えている。記憶部１５は、ＳＲＡＭ（Static Random Access Memory）、ＤＲＡＭ（Dynamic Random Access Memory）、ＥＥＰＲＯＭ（Electrically Erasable Programmable Read Only Memory）又はフラッシュメモリ等のメモリ素子で構成されている。制御部１１は、ユーザにより設定された表示に係る設定値、及び演算処理の過程で発生する一時的なデータ等の種々のデータを記憶部１５に記憶することができる。また、チューナ１７が受信したＴＶ放送に係る映像信号が選択部１６から制御部１１へ与えられている場合、制御部１１は映像信号と共にＥＰＧ１５ａを取得することができ、制御部１１はＥＰＧ１５ａを記憶部１５に記憶する。
【００３３】
また表示装置１は、計時を行うための計時部１８を備えている。計時部１８は、計時の開始及び停止等を制御部１１により制御されており、計時結果を制御部１１へ与える。
【００３４】
再生装置３は、ＤＶＤ又はブルーレイディスク等の光ディスク５に記録されたデータの読み出しを行うディスクドライブ３４を備えている。光ディスク５には、映像に係るデータが予め記録されている。ディスクドライブ３４は、光ディスク５を載置するトレイ、載置された光ディスク５を回転させるモータ、並びに光ディスク５へのビーム光の照射及び反射光の受光を行う光ピックアップ等を有しており、光ピックアップの受光によって光ディスク５から映像データを読み出し、読み出した映像データを制御部３１へ与える。
【００３５】
制御部３１は、再生装置３の各部の制御処理及び種々の演算処理等を行うものであり、具体的にはＣＰＵ又はＭＰＵ等で構成されている。制御部３１は、ディスクドライブ３４が光ディスク５から読み出した映像データを再生処理部３３へ与え、再生処理部３３は、制御部３１から与えられた映像データをデコードすることで再生処理を行い、デコードした映像データを制御部３１へ与える。制御部３１は、再生処理部３３にてデコードされた映像データを出力端子３５へ与える。
【００３６】
出力端子３５は、ＨＤＭＩ規格の出力端子であり、ケーブル７を介して表示装置１に接続されている。出力端子３５は、ケーブル７を介して映像及び音声に係る信号を表示装置１へ送信することができると共に、制御情報を送受信することができる。出力端子３５は、制御部３１から与えられた映像データをケーブル７を介して映像信号として表示装置１へ出力する出力部３６と、制御装置１との間で制御情報の送受信を行う通信部３７とを有している。出力端子３５の通信部３７は、制御部３１から与えられた制御情報を表示装置１へ送信すると共に、表示装置１から送信された制御情報を受信して制御部３１へ与える。
【００３７】
また再生装置３は、ユーザの操作を受け付ける複数のスイッチ又はボタン等を有する操作部３２を備えている。操作部３２は、操作を受け付けた場合にその旨を制御部３１へ通知する。制御部３１は、操作部３２にて受け付けた操作に応じて、光ディスク５に記録された映像の再生処理の開始又は停止等の処理の制御を行う。なお、操作部３２は、リモートコントローラを用いるものであってもよい。
【００３８】
図示の映像表示システムは、表示装置１及び再生装置３をケーブル７で接続した構成であり、ユーザは表示装置１の操作部１２を操作して映像の入力元をチューナ１７に切り替えることによって、表示装置１にてＴＶ放送の番組を視聴することができる。このとき、再生装置３の電源はオフであってよい。
【００３９】
光ディスク５に記録された映像を視聴する場合、表示装置１の操作部１２を操作して映像の入力元を入力端子２１に切り替え、再生装置３の操作部３２を操作して映像の再生を開始することによって、ユーザは光ディスク５に記録された映像を表示装置１の表示部１４に表示させることができる。
【００４０】
次に、光ディスク５に記録された映像を再生装置３にて再生して表示装置１に表示しているとき、ユーザが表示装置１の操作部１２を操作して映像の入力元を入力端子２１からチューナ１７又は他の入力端子２２、２３に切り替えた場合について、本発明に係る映像表示システムの表示装置１及び再生装置３が行う処理を説明する。図３及び図４は、本発明の実施の形態１に係る表示装置１が表示する映像の表示例である。また、図５は、本発明の実施の形態１に係る映像表示システムの処理を説明するための模式図であり、表示装置１及び再生装置３が行う処理の一例を示してある。
【００４１】
光ディスク５に記録された映像を再生装置３が再生し（Ｐ１）、再生された映像を表示装置１が表示しているときに（Ｄ１）（図３（ａ）参照）、表示装置１の操作部１２が操作されて映像の入力元を入力端子２１からチューナ１７へ（ＴＶ放送へ）切り替えられた場合（Ｄ２）（図３（ｂ）参照）、表示装置１は切り替えを行う旨を通知するための切替通知（Ｍ１）を再生装置３へ送信すると共に、計時部１８にて計時を開始する（Ｄ３）。
【００４２】
切替通知（Ｍ１）を受信した再生装置３は、映像の再生を停止して（Ｐ２）、停止した旨を通知するための停止通知（Ｍ２）を表示装置１へ送信する。停止通知（Ｍ２）を受信した表示装置１は、選択部１６が選択する映像の入力元をチューナ１７に切り替える（Ｄ４）。これにより、表示装置１には、チューナ１７が受信したＴＶ放送の番組に係る映像が表示される（図３（ｃ）参照）。その後、表示装置１は、計時部１８の計時により所定時間が経過した場合（Ｄ５）、切り替えを行ってからの経過時間を通知するためのメッセージ（報知情報）を表示部１４に表示する（Ｄ６）（図４参照）。なお、切り替えからメッセージ表示までの所定時間は、例えば３０分又は１時間等の予め定められた時間であってもよく、ユーザが任意の時間を予め設定することができる構成であってもよい。
【００４３】
また経過時間を通知するためのメッセージは、例えば図４に示すように、表示部１４の下側中央に表示した矩形領域（所謂、ウインドウ）内に表示してもよいが、これに限るものではない。例えばメッセージのみを表示部１４の上側などの適所に表示してもよく、表示部１４の全体に亘ってメッセージを表示してもよく、更に他の方法でメッセージを表示してもよい。また、メッセージは、文字として表示するのみでなく、所謂アイコンなどの絵又は図形等として表示してもよく、これらの組み合わせであってもよい。これらのメッセージを構成するためのデータは、表示処理部１３が予め記憶している構成であってもよく、記憶部１５に予め記憶しておいて制御部１１が読み出して表示処理部１３へ与える構成であってもよい。
【００４４】
次に、フローチャートにより表示装置１及び再生装置３が行う処理を説明する。図６は、本発明の実施の形態１に係る表示装置１が行う処理の手順を示すフローチャートであり、表示装置１の制御部１１が各部の動作を制御することによって行う処理である。また、図示の処理は、表示装置１が、再生装置３の再生した映像を表示している状態にて開始される処理である。
【００４５】
まず、表示装置１の制御部１１は、操作部１２にて映像の入力元の切替操作がなされたか否かを判定し（ステップＳ１）、切替操作がなされていない場合には（Ｓ１：ＮＯ）、切替操作がなされるまで待機する。切替操作がなされた場合（Ｓ１：ＹＥＳ）、制御部１１は、通信部２６からケーブル７を介して再生装置３へ切替通知を送信し（ステップＳ２）、計時部１８による経過時間の計時を開始する（ステップＳ３）。
【００４６】
次いで、制御部１１は、再生装置３から送信される停止通知を受信したか否かを調べ（ステップＳ４）、停止通知を受信していない場合には（Ｓ４：ＮＯ）、停止通知を受信するまで待機する。停止通知を受信した場合には（Ｓ４：ＹＥＳ）、制御部１１は、選択部１６の選択を切り替えることによって映像信号の入力元を切り替え（ステップＳ５）、計時部１８の計時が所定時間を経過したか否かを調べる（ステップＳ６）。所定時間が経過していない場合（Ｓ６：ＮＯ）、制御部１１は、所定時間が経過するまで待機する。所定時間が経過した場合（Ｓ６：ＹＥＳ）、制御部１１は、所定時間の経過を通知するためのメッセージを表示部１４に表示して（ステップＳ７）、処理を終了する。
【００４７】
図７は、本発明の実施の形態１に係る再生装置３が行う処理の手順を示すフローチャートであり、再生装置３の制御部３１が各部の動作を制御することによって行う処理である。また、図示の処理は、再生装置３が、映像の再生処理を行っている状態で開始される処理である。
【００４８】
まず、再生装置３の制御部３１は、表示装置１から送信される切替通知（図６のステップＳ２参照）を通信部３７にて受信したか否かを調べる（ステップＳ１１）。切替通知を受信していない場合（Ｓ１１：ＮＯ）、制御部３１は、光ディスク５からの映像データを読み出して再生処理部３３にて再生する処理を継続し、切替通知の受信を待機する。切替通知を受信した場合（Ｓ１１：ＹＥＳ）、制御部３１は、再生処理部３３による再生処理を停止し（ステップＳ１２）、表示装置１へ停止通知を送信して（ステップＳ１３）、処理を終了する。
【００４９】
以上の構成の映像表示システムにおいては、表示装置１にて映像の入力元の切替操作がなされ、再生装置３が再生する映像から他の映像へ切り替えが行われた場合、再生装置３の再生処理を停止する構成とすることにより、ユーザは再生装置３の再生を停止する操作を行う必要がない。また、切り替えから所定時間経過後に表示装置１がメッセージを表示する構成とすることにより、ユーザは所定時間の経過を知ることができ、再生装置３の電源をオフするか否かを自らが判断することができる。再生装置３による映像の視聴をこれ以後に行わない場合、ユーザは再生装置３の電源をオフして電力消費を抑制することがでる。また、再生装置３による映像の視聴をこれ以後に行う場合、ユーザは再生装置３の電源をオフせずに、映像再生の再開を迅速に行うことができる。
【００５０】
なお、本実施の形態においては、再生装置３はＤＶＤプレーヤなどの光ディスク５に記録された映像を再生する装置としたが、これに限るものではなく、ハードディスクなどのその他の記録媒体に記録された映像を再生する装置であってもよい。また、再生装置３は、記録媒体に映像を記録する機能を備えていてもよい。また、表示装置１及び再生装置３をＨＤＭＩ規格の１つのケーブル７にて接続する構成としたが、これに限るものではなく、その他の規格のケーブルにて接続する構成であってもよい。ただし、再生装置３から表示装置１へ映像信号を与えるのみでなく、表示装置１及び再生装置３の間で通信を行うことができる構成である必要がある。この場合、映像信号のためのケーブルと、通信を行うためのケーブルとは、別のケーブルであってよい。また、再生処理を停止した後に再生装置３が停止通知を表示装置１へ送信し、表示装置１は停止通知を受信した後に入力の切り替えを行う構成としたが、これに限るものではなく、再生装置３から表示装置１への停止通知の送信を行わない構成であってもよい。
【００５１】
（実施の形態２）
図８は、本発明の実施の形態２に係る表示装置１が表示する映像の表示例である。また、図９は、本発明の実施の形態２に係る映像表示システムの処理を説明するための模式図であり、表示装置１及び再生装置３が行う処理の一例を示してある。上述の実施の形態１に係る映像表示システムでは、表示装置１に表示する映像の入力元を切り替えた後に所定時間を経過した場合、所定時間の経過を通知するメッセージを表示装置１に表示するのみの構成である。これに対して実施の形態２に係る映像表示システムは、所定時間の経過後に再生装置３による映像の再生を再開するか否かをユーザに選択させると共に、ユーザが再生の再開を選択した場合には、再生装置３の再生処理を自動的に再開させる構成である。
【００５２】
光ディスク５に記録された映像を再生装置３が再生し（Ｐ１）、再生された映像を表示装置１が表示しているときに（Ｄ１）、表示装置１の操作部１２が操作されて映像の入力元を入力端子２１からチューナ１７へ（ＴＶ放送へ）切り替えられた場合（Ｄ２）、表示装置１は再生装置３へ切替通知（Ｍ１）を送信すると共に、計時部１８にて計時を開始する（Ｄ３）。切替通知（Ｍ１）を受信した再生装置３は、映像の再生を停止して（Ｐ２）、表示装置１へ停止通知（Ｍ２）を送信する。停止通知（Ｍ２）を受信した表示装置１は、選択部１６が選択する映像の入力元をチューナ１７に切り替える（Ｄ４）。これにより、表示装置１には、チューナ１７が受信したＴＶ放送の番組に係る映像が表示される。これらの処理は、実施の形態１に係る映像表示システムと同じである。
【００５３】
その後、表示装置１は、計時部１８の計時により所定時間が経過した場合（Ｄ５）、再生装置３による映像の再生を再開するか否かを問い合わせるメッセージを表示する（Ｄ１１）（図８（ａ）参照）。問い合わせのメッセージは、「入力１の再生を開始しますか」などの文字列をメッセージ用のウインドウに表示すると共に、「はい」又は「いいえ」のいずれかを選択させるボタンを表示する。ユーザは操作部１２を用いて「はい」又は「いいえ」のいずれかを選択することができる。なお、図８に示す問い合わせのメッセージの表示は、一例であってこれに限るものではない。
【００５４】
操作部１２の操作によって「はい」が選択され、再生装置３による再生処理の再開が選択された場合（Ｄ１２）、表示装置１は、再生処理の再開が選択された旨を通知する再開通知（Ｍ３）を再生装置３へ送信すると共に、選択部１６が選択する映像の入力元をチューナ１７から入力端子２１へ切り替える（Ｄ１３）。再開通知を受信した再生装置３は、停止していた映像の再生処理を再開する（Ｐ１１）。これにより、表示装置１には、再生装置３が再生した映像が表示される（図８（ｂ）及び（ｃ）参照）。なお、「いいえ」が選択された場合には、表示装置１から再生装置３へ再開通知が送信されることはなく、表示装置１はＴＶ放送の表示を継続して行う。
【００５５】
図１０は、本発明の実施の形態２に係る表示装置１が行う処理の手順を示すフローチャートであり、表示装置１が再生装置３の再生した映像を表示している状態にて開始される処理である。まず、表示装置１の制御部１１は、操作部１２にて映像の入力元の切替操作がなされたか否かを判定し（ステップＳ２１）、切替操作がなされていない場合には（Ｓ２１：ＮＯ）、切替操作がなされるまで待機する。切替操作がなされた場合（Ｓ２１：ＹＥＳ）、制御部１１は、通信部２６からケーブル７を介して再生装置３へ切替通知を送信し（ステップＳ２２）、計時部１８による経過時間の計時を開始する（ステップＳ２３）。
【００５６】
次いで、制御部１１は、再生装置３から送信される停止通知を受信したか否かを調べ（ステップＳ２４）、停止通知を受信していない場合には（Ｓ２４：ＮＯ）、停止通知を受信するまで待機する。停止通知を受信した場合には（Ｓ２４：ＹＥＳ）、制御部１１は、選択部１６の選択を切り替えることによって映像信号の入力元を切り替え（ステップＳ２５）、計時部１８の計時が所定時間を経過したか否かを調べる（ステップＳ２６）。所定時間が経過していない場合（Ｓ２６：ＮＯ）、制御部１１は、所定時間が経過するまで待機する。
【００５７】
所定時間が経過した場合（Ｓ２６：ＹＥＳ）、制御部１１は、再生装置３による映像の再開を行うか否かを問い合わせるメッセージを表示し（ステップＳ２７）、このメッセージに応じて操作部１２にてなされたユーザによる選択が再生を再開する選択であるか否かを判定する（ステップＳ２８）。再生再開の選択の場合（Ｓ２８：ＹＥＳ）、制御部１１は、通信部２６から再生装置３へ再開通知を送信し（ステップＳ２９）、選択部１６の選択を切り替えることによって映像信号の入力元をチューナ１７から入力端子２１へ切り替えて（ステップＳ３０）、処理を終了し、再生装置３が再生した映像の表示を行う。また、ステップＳ２８にて再生再開の選択でない場合（Ｓ２８：ＮＯ）、制御部１１は処理を終了し、チューナ１７が受信するＴＶ放送の映像の表示を行う。
【００５８】
図１１は、本発明の実施の形態２に係る再生装置３が行う処理の手順を示すフローチャートであり、再生装置３が映像の再生処理を行っている状態で開始される処理である。まず、再生装置３の制御部３１は、表示装置１から送信される切替通知を通信部３７にて受信したか否かを調べる（ステップＳ４１）。切替通知を受信していない場合（Ｓ４１：ＮＯ）、制御部３１は、光ディスク５からの映像データを読み出して再生処理部３３にて再生する処理を継続し、切替通知の受信を待機する。切替通知を受信した場合（Ｓ４１：ＹＥＳ）、制御部３１は、再生処理部３３による再生処理を停止し（ステップＳ４２）、表示装置１へ停止通知を送信する（ステップＳ４３）。
【００５９】
次いで、制御部３１は、表示装置１から送信される再開通知（図１０のステップＳ２９参照）を受信したか否かを調べる（ステップＳ４４）。再開通知を受信していない場合（Ｓ４４：ＮＯ）、制御部３１は再開通知を受信するまで待機する。再開通知を受信した場合（Ｓ４４：ＹＥＳ）、制御部３１は、再生処理部３３による再生処理を再開して（ステップＳ４５）、処理を終了し、映像の再生処理を行う。
【００６０】
以上の構成の実施の形態２に係る映像表示システムにおいては、映像入力元の切り替えから所定時間経過後に表示装置１が再生再開を問い合わせるメッセージを表示し、ユーザの選択に応じて再生装置３の再生再開及び表示装置１の入力切替を行う構成とすることにより、ユーザは所定時間経過後にチューナ１７又は再生装置３のいずれの映像を視聴するかを自ら判断して選択することができる。また、ユーザは表示されたメッセージに対する選択操作を行うのみで、表示装置１の入力切替操作及び再生装置３の再生再開操作等の操作を行う必要がないため、ユーザの操作に係る手間を省略して、映像表示システムの操作性及び利便性を向上することができる。
【００６１】
なお、実施の形態２に係る映像表示システムのその他の構成は、実施の形態１に係る映像表示システムの構成と同様であるため、同様の箇所には同じ符号を付して詳細な説明を省略する。
【００６２】
（実施の形態３）
図１２は、本発明の実施の形態３に係る表示装置１が表示する映像の表示例である。また、図１３は、本発明の実施の形態３に係る映像表示システムの処理を説明するための模式図であり、表示装置１及び再生装置３が行う処理の一例を示してある。上述の実施の形態２に係る映像表示システムは、所定時間の経過後に再生装置３による映像の再生を再開するか否かをユーザに選択させる構成である。これに対して実施の形態３に係る映像表示システムは、所定時間の経過後に再生装置３の電源をオフするか否かをユーザに選択させると共に、ユーザが電源オフを選択した場合には、再生装置３の電源を自動的にオフさせる構成である。
【００６３】
光ディスク５に記録された映像を再生装置３が再生し（Ｐ１）、再生された映像を表示装置１が表示しているときに（Ｄ１）、表示装置１の操作部１２が操作されて映像の入力元を入力端子２１からチューナ１７へ（ＴＶ放送へ）切り替えられた場合（Ｄ２）、表示装置１は再生装置３へ切替通知（Ｍ１）を送信すると共に、計時部１８にて計時を開始する（Ｄ３）。切替通知（Ｍ１）を受信した再生装置３は、映像の再生を停止して（Ｐ２）、表示装置１へ停止通知（Ｍ２）を送信する。停止通知（Ｍ２）を受信した表示装置１は、選択部１６が選択する映像の入力元をチューナ１７に切り替える（Ｄ４）。これにより、表示装置１には、チューナ１７が受信したＴＶ放送の番組に係る映像が表示される。これらの処理は、実施の形態１に係る映像表示システムと同じである。
【００６４】
その後、表示装置１は、計時部１８の計時により所定時間が経過した場合（Ｄ５）、再生装置３の電源をオフするか否かを問い合わせるメッセージを表示する（Ｄ２１）（図１２参照）。問い合わせのメッセージは、「入力１の電源をオフしますか」などの文字列をメッセージ用のウインドウに表示すると共に、「はい」又は「いいえ」のいずれかを選択させるボタンを表示する。ユーザは操作部１２を用いて「はい」又は「いいえ」のいずれかを選択することができる。なお、図１２に示す問い合わせのメッセージの表示は、一例であってこれに限るものではない。
【００６５】
操作部１２の操作によって「はい」が選択され、再生装置３の電源オフが選択された場合（Ｄ２２）、表示装置１は、電源オフが選択された旨を通知する電源オフ通知（Ｍ４）を再生装置３へ送信し、チューナ１７が受信したＴＶ放送の表示を継続して行う。電源オフ通知を受信した再生装置３は、電源をオフする（Ｐ２１）。なお、「いいえ」が選択された場合には、表示装置１から再生装置３へ電源オフ通知が送信されることはなく、再生装置３は電源オンの状態で待機する。
【００６６】
図１４は、本発明の実施の形態３に係る表示装置１が行う処理の手順を示すフローチャートであり、表示装置１が再生装置３の再生した映像を表示している状態にて開始される処理である。まず、表示装置１の制御部１１は、操作部１２にて映像の入力元の切替操作がなされたか否かを判定し（ステップＳ５１）、切替操作がなされていない場合には（Ｓ５１：ＮＯ）、切替操作がなされるまで待機する。切替操作がなされた場合（Ｓ５１：ＹＥＳ）、制御部１１は、通信部２６からケーブル７を介して再生装置３へ切替通知を送信し（ステップＳ５２）、計時部１８による経過時間の計時を開始する（ステップＳ５３）。
【００６７】
次いで、制御部１１は、再生装置３から送信される停止通知を受信したか否かを調べ（ステップＳ５４）、停止通知を受信していない場合には（Ｓ５４：ＮＯ）、停止通知を受信するまで待機する。停止通知を受信した場合には（Ｓ５４：ＹＥＳ）、制御部１１は、選択部１６の選択を切り替えることによって映像信号の入力元を切り替え（ステップＳ５５）、計時部１８の計時が所定時間を経過したか否かを調べる（ステップＳ５６）。所定時間が経過していない場合（Ｓ５６：ＮＯ）、制御部１１は、所定時間が経過するまで待機する。
【００６８】
所定時間が経過した場合（Ｓ５６：ＹＥＳ）、制御部１１は、再生装置３の電源をオフするか否かを問い合わせるメッセージを表示し（ステップＳ５７）、このメッセージに応じて操作部１２にてなされたユーザによる選択が電源オフする選択であるか否かを判定する（ステップＳ５８）。電源オフする選択の場合（Ｓ５８：ＹＥＳ）、制御部１１は、通信部２６から再生装置３へ電源オフ通知を送信し（ステップＳ５９）、処理を終了して、チューナ１７が受信するＴＶ放送の映像の表示を行う。また、電源オフする選択でない場合（Ｓ５８：ＮＯ）、制御部１１は処理を終了し、チューナ１７が受信するＴＶ放送の映像の表示を行う。
【００６９】
図１５は、本発明の実施の形態３に係る再生装置３が行う処理の手順を示すフローチャートであり、再生装置３が映像の再生処理を行っている状態で開始される処理である。まず、再生装置３の制御部３１は、表示装置１から送信される切替通知を通信部３７にて受信したか否かを調べる（ステップＳ６１）。切替通知を受信していない場合（Ｓ６１：ＮＯ）、制御部３１は、光ディスク５からの映像データを読み出して再生処理部３３にて再生する処理を継続し、切替通知の受信を待機する。切替通知を受信した場合（Ｓ６１：ＹＥＳ）、制御部３１は、再生処理部３３による再生処理を停止し（ステップＳ６２）、表示装置１へ停止通知を送信する（ステップＳ６３）。
【００７０】
次いで、制御部３１は、表示装置１から送信される電源オフ通知（図１４のステップＳ５９参照）を受信したか否かを調べる（ステップＳ６４）。電源オフ通知を受信していない場合（Ｓ６４：ＮＯ）、制御部３１は電源オフ通知を受信するまで待機する。電源オフ通知を受信した場合（Ｓ６４：ＹＥＳ）、制御部３１は、再生装置３の電源をオフする処理を行って（ステップＳ６５）、処理を終了する。
【００７１】
以上の構成の実施の形態３に係る映像表示システムにおいては、映像入力元の切り替えから所定時間経過後に表示装置１が再生装置３の電源をオフするか否かを問い合わせるメッセージを表示し、ユーザの選択に応じて再生装置３の電源オフを行う構成とすることにより、ユーザは所定時間経過後に再生装置３の電源をオフにするか否かを自ら判断して選択することができる。また、ユーザは表示されたメッセージに対する選択操作を行うのみで、再生装置３の電源をオフすることができ、再生装置３に対する電源オフ操作を行う必要がないため、ユーザの操作に係る手間を省略して、映像表示システムの操作性及び利便性を向上することができる。
【００７２】
なお、実施の形態３に係る映像表示システムのその他の構成は、実施の形態１に係る映像表示システムの構成と同様であるため、同様の箇所には同じ符号を付して詳細な説明を省略する。
【００７３】
（実施の形態４）
図１６は、本発明の実施の形態４に係る映像表示システムの処理を説明するための模式図であり、表示装置１及び再生装置３が行う処理の一例を示してある。上述の実施の形態１〜３に係る映像表示システムは、表示する映像の入力元を切り替えてから所定時間が経過した後に種々のメッセージを表示する構成であるが、ユーザがＴＶ放送の番組を視聴している際にメッセージを表示すると、視聴の妨げとなる虞がある。そこで、実施の形態４に係る映像表示システムは、映像の入力元を切り替えてから所定時間が経過し、且つ、視聴中のＴＶ放送の番組が終了した後に種々のメッセージを表示する。
【００７４】
なお、実施の形態４に係る映像表示システムは、実施の形態２に係る映像表示システムと同様に、表示装置１が再生再開を問い合わせるメッセージを表示する構成とするが、これに限るものではない。詳細な説明は省略するが、例えば実施の形態１に係る映像表示システムと同様に、表示装置１が経過時間を通知するメッセージを表示する構成としてもよく、また、実施の形態３に係る映像表示システムと同様に、再生装置３の電源をオフするか否かを問い合わせるメッセージを表示する構成としてもよい。
【００７５】
光ディスク５に記録された映像を再生装置３が再生し（Ｐ１）、再生された映像を表示装置１が表示しているときに（Ｄ１）、表示装置１の操作部１２が操作されて映像の入力元を入力端子２１からチューナ１７へ（ＴＶ放送へ）切り替えられた場合（Ｄ２）、表示装置１は再生装置３へ切替通知（Ｍ１）を送信すると共に、計時部１８にて計時を開始する（Ｄ３）。切替通知（Ｍ１）を受信した再生装置３は、映像の再生を停止して（Ｐ２）、表示装置１へ停止通知（Ｍ２）を送信する。停止通知（Ｍ２）を受信した表示装置１は、選択部１６が選択する映像の入力元をチューナ１７に切り替える（Ｄ４）。これにより、表示装置１には、チューナ１７が受信したテレビジョン放送の番組に係る映像が表示される。これらの処理は、実施の形態１〜３に係る映像表示システムと同じである。
【００７６】
その後、表示装置１は、計時部１８の計時により所定時間が経過し（Ｄ５）、且つ、表示装置１のチューナ１７にて受信され、表示部１４に表示されている映像に係るＴＶ放送の番組、即ちユーザが視聴中の番組が終了した場合（Ｄ３１）、再生装置３による映像の再生を再開するか否かを問い合わせるメッセージを表示する（Ｄ３２）。操作部１２の操作によって、再生装置３による再生処理の再開が選択された場合（Ｄ３３）、表示装置１は再開通知（Ｍ３）を再生装置３へ送信すると共に、選択部１６が選択する映像の入力元をチューナ１７から入力端子２１へ切り替える（Ｄ３４）。再開通知を受信した再生装置３は、停止していた映像の再生処理を再開する（Ｐ１１）。これにより、表示装置１には、再生装置３が再生した映像が表示される。なお、「いいえ」が選択された場合には、表示装置１から再生装置３へ再開通知が送信されることはなく、表示装置１はＴＶ放送の表示を継続して行う。
【００７７】
図１７及び図１８は、本発明の実施の形態４に係る表示装置１が行う処理の手順を示すフローチャートであり、表示装置１が再生装置３の再生した映像を表示している状態にて開始される処理である。まず、表示装置１の制御部１１は、操作部１２にて映像の入力元の切替操作がなされたか否かを判定し（ステップＳ７１）、切替操作がなされていない場合には（Ｓ７１：ＮＯ）、切替操作がなされるまで待機する。切替操作がなされた場合（Ｓ７１：ＹＥＳ）、制御部１１は、通信部２６からケーブル７を介して再生装置３へ切替通知を送信し（ステップＳ７２）、計時部１８による経過時間の計時を開始する（ステップＳ７３）。
【００７８】
次いで、制御部１１は、再生装置３から送信される停止通知を受信したか否かを調べ（ステップＳ７４）、停止通知を受信していない場合には（Ｓ７４：ＮＯ）、停止通知を受信するまで待機する。停止通知を受信した場合には（Ｓ７４：ＹＥＳ）、制御部１１は、選択部１６の選択を切り替えることによって映像信号の入力元を切り替え（ステップＳ７５）、計時部１８の計時が所定時間を経過したか否かを調べる（ステップＳ７６）。所定時間が経過していない場合（Ｓ７６：ＮＯ）、制御部１１は、所定時間が経過するまで待機する。
【００７９】
所定時間が経過した場合（Ｓ７６：ＹＥＳ）、制御部１１は、記憶部１５に記憶したＥＰＧ１５ａを読み出し（ステップＳ７７）、チューナ１７にて受信し、表示部１４に表示しているテレビジョン放送の番組、即ちユーザが視聴中の番組の終了時刻をＥＰＧ１５ａから取得する（ステップＳ７８）。次いで、制御部１１は、現在の時刻が終了時刻に達したか否かを調べることによって、視聴中の番組が終了したか否かを判定する（ステップＳ７９）。
【００８０】
番組が終了していない場合（Ｓ７９：ＮＯ）、制御部１１は、操作部１２に対するユーザの操作により、表示するテレビジョン放送のチャンネルが変更されたか否かを更に調べる（ステップＳ８０）。チャンネルが変更されていない場合（Ｓ８０：ＮＯ）、制御部１１は、ステップＳ７９へ戻り、視聴中の番組が終了するか、又は、チャンネルが変更されるまで待機する。チャンネルが変更された場合（Ｓ８０：ＹＥＳ）、制御部１１は、ステップＳ７７へ戻り、変更されたチャンネルに係る番組の終了時刻を取得して、視聴中の番組が終了するか、又は、チャンネルが変更されるまで待機する。
【００８１】
視聴中の番組が終了した場合（Ｓ７９：ＹＥＳ）、制御部１１は、再生装置３による映像の再開を行うか否かを問い合わせるメッセージを表示し（ステップＳ８１）、このメッセージに応じて操作部１２にてなされたユーザによる選択が再生を再開する選択であるか否かを判定する（ステップＳ８２）。再生再開の選択の場合（Ｓ８２：ＹＥＳ）、制御部１１は、通信部２６から再生装置３へ再開通知を送信し（ステップＳ８３）、選択部１６の選択を切り替えることによって映像信号の入力元をチューナ１７から入力端子２１へ切り替えて（ステップＳ８４）、処理を終了し、再生装置３が再生した映像の表示を行う。また、ステップＳ８２にて再生再開の選択でない場合（Ｓ８２：ＮＯ）、制御部１１は処理を終了し、チューナ１７が受信するＴＶ放送の映像の表示を行う。
【００８２】
以上の構成の実施の形態４に係る映像表示システムにおいては、映像入力元の切り替えから所定時間が経過し、且つ、視聴中の番組が終了した後に、表示装置１がメッセージを表示する構成とすることにより、テレビジョン放送に係る番組の視聴を妨げることなく、ユーザに対するメッセージの表示を行うことができる。また、ユーザは視聴していた番組が終了したタイミングで再生装置３による映像の視聴を再開することができ、この際にユーザは表示されたメッセージに対する選択操作を行うのみでよいため、ユーザの操作に係る手間を省略して、映像表示システムの操作性及び利便性を向上することができる。
【００８３】
なお、実施の形態４に係る映像表示システムのその他の構成は、実施の形態２に係る映像表示システムの構成と同様であるため、同様の箇所には同じ符号を付して詳細な説明を省略する。
【００８４】
（変形例）
図１９は、本発明の実施の形態４の変形例に係る映像表示システムの処理を説明するための模式図であり、表示装置１及び再生装置３が行う処理の一例を示してある。上述の実施の形態４に係る映像表示システムは、切り替えから所定時間が経過し、且つ、視聴中の番組が終了した場合に、表示装置１がメッセージを表示する構成である。これに対して変形例に係る映像表示システムの表示装置１は、切り替えからの計時を行わず、切り替え後に視聴していた番組が終了した場合にメッセージを表示する。なお、変形例に係る再生装置３の処理は、実施の形態４に係る映像表示システムの処理と同じである。
【００８５】
よって、変形例に係る映像表示システムの表示装置１は、操作部１２が操作されて映像の入力元を入力端子２１からチューナ１７へ（ＴＶ放送へ）切り替えられた場合（Ｄ２）、再生装置３へ切替通知（Ｍ１）を送信した後に、計時を行わず、再生装置３から停止通知（Ｍ２）を受信した場合に、選択部１６が選択する映像の入力元をチューナ１７に切り替える（Ｄ４）。
【００８６】
その後、表示装置１は、チューナ１７にて受信され、表示部１４に表示されている映像に係るＴＶ放送の番組、即ちユーザが視聴中の番組が終了した場合（Ｄ３１）、再生装置３による映像の再生を再開するか否かを問い合わせるメッセージを表示する（Ｄ３２）。操作部１２の操作によって、再生装置３による再生処理の再開が選択された場合（Ｄ３３）、表示装置１は再開通知（Ｍ３）を再生装置３へ送信すると共に、選択部１６が選択する映像の入力元をチューナ１７から入力端子２１へ切り替える（Ｄ３４）。
【００８７】
以上の構成の実施の形態４の変形例に係る映像表示装置は、映像入力元の切り替えた後に視聴中の番組が終了した場合、表示装置１がメッセージを表示する構成とすることにより、映像の入力元を切り替えてユーザが一時的に視聴した番組の終了に合わせてメッセージの表示を行うことができるため、ユーザの番組視聴を妨げることがない。
【００８８】
（実施の形態５）
図２０及び図２１は、本発明の実施の形態５に係る映像表示システムの構成を示すブロック図であり、図２０には映像表示システムを構成する表示装置１０１の詳細を示し、図２１には再生装置１０３の詳細を示してある。上述の実施の形態１〜４に係る映像表示システムは、映像の入力元を切り替えてからの経過時間を計時する計時部１８が表示装置１に搭載された構成である。これに対して実施の形態５に係る映像表示システムでは、表示装置１０１に計時部は搭載されておらず、再生装置１０３に計時部１３８が搭載された構成である。
【００８９】
再生装置１０３に備えられた計時部１３８は、計時の開始及び停止等を制御部３１により制御されており、計時結果を制御部３１へ与える。
【００９０】
図２２は、本発明の実施の形態５に係る映像表示システムの処理を説明するための模式図であり、表示装置１０１及び再生装置１０３が行う処理の一例を示してある。なお、実施の形態５に係る映像表示システムは、実施の形態２に係る映像表示システムと同様に、表示装置１０１が再生再開を問い合わせるメッセージを表示する構成とするが、これに限るものではない。詳細な説明は省略するが、例えば実施の形態１に係る映像表示システムと同様に、表示装置１０１が経過時間を通知するメッセージを表示する構成としてもよく、また、実施の形態３に係る映像表示システムと同様に、再生装置１０３の電源をオフするか否かを問い合わせるメッセージを表示する構成としてもよい。
【００９１】
光ディスク５に記録された映像を再生装置１０３が再生し（Ｐ５１）、再生された映像を表示装置１０１が表示しているときに（Ｄ５１）、表示装置１０１の操作部１２が操作されて映像の入力元を入力端子２１からチューナ１７へ（ＴＶ放送へ）切り替えられた場合（Ｄ５２）、表示装置１０１は再生装置１０３へ切替通知（Ｍ１）を送信する。切替通知（Ｍ１）を受信した再生装置１０３は、計時部１３８にて計時を開始すると共に（Ｐ５２）、映像の再生を停止して（Ｐ５３）、表示装置１へ停止通知（Ｍ２）を送信する。停止通知（Ｍ２）を受信した表示装置１は、選択部１６が選択する映像の入力元をチューナ１７に切り替える（Ｄ５３）。これにより、表示装置１０１には、チューナ１７が受信したテレビジョン放送の番組に係る映像が表示される。
【００９２】
その後、再生装置１０３は、計時部１３８の計時により所定時間が経過した場合（Ｐ５４）、表示装置１０１へ所定時間が経過した旨を通知するための時間経過通知（Ｍ５）を送信する。時間経過通知（Ｍ５）を受信した表示装置１０１は、再生装置１０３による映像の再生を再開するか否かを問い合わせるメッセージを表示する（Ｄ５４）。操作部１２の操作によって、再生装置１０３による再生処理の再開が選択された場合（Ｄ５５）、表示装置１０１は再開通知（Ｍ３）を再生装置１０３へ送信すると共に、選択部１６が選択する映像の入力元をチューナ１７から入力端子２１へ切り替える（Ｄ５６）。再開通知を受信した再生装置１０３は、停止していた映像の再生処理を再開する（Ｐ５５）。これにより、表示装置１０１には、再生装置１０３が再生した映像が表示される。
【００９３】
図２３は、本発明の実施の形態５に係る表示装置１０１が行う処理の手順を示すフローチャートであり、表示装置１０１が再生装置１０３の再生した映像を表示している状態にて開始される処理である。まず、表示装置１０１の制御部１１は、操作部１２にて映像の入力元の切替操作がなされたか否かを判定し（ステップＳ９１）、切替操作がなされていない場合には（Ｓ９１：ＮＯ）、切替操作がなされるまで待機する。切替操作がなされた場合（Ｓ９１：ＹＥＳ）、制御部１１は、通信部２６からケーブル７を介して再生装置１０３へ切替通知を送信する（ステップＳ９２）。
【００９４】
次いで、制御部１１は、再生装置１０３から送信される停止通知を受信したか否かを調べ（ステップＳ９３）、停止通知を受信していない場合には（Ｓ９３：ＮＯ）、停止通知を受信するまで待機する。停止通知を受信した場合には（Ｓ９３：ＹＥＳ）、制御部１１は、選択部１６の選択を切り替えることによって映像信号の入力元を切り替える（ステップＳ９４）。
【００９５】
次いで、制御部１１は、再生装置１０３から送信される時間経過通知を受信したか否かを調べ（ステップＳ９５）、時間経過通知を受信していない場合には（Ｓ９５：ＮＯ）、時間経過通知を受信するまで待機する。時間経過通知を受信した場合には（Ｓ９５：ＹＥＳ）、制御部１１は、再生装置１０３による映像の再開を行うか否かを問い合わせるメッセージを表示し（ステップＳ９６）、このメッセージに応じて操作部１２にてなされたユーザによる選択が再生を再開する選択であるか否かを判定する（ステップＳ９７）。再生再開の選択の場合（Ｓ９７：ＹＥＳ）、制御部１１は、通信部２６から再生装置１０３へ再開通知を送信し（ステップＳ９８）、選択部１６の選択を切り替えることによって映像信号の入力元をチューナ１７から入力端子２１へ切り替えて（ステップＳ９９）、処理を終了し、再生装置１０３が再生した映像の表示を行う。また、ステップＳ９７にて再生再開の選択でない場合（Ｓ９７：ＮＯ）、制御部１１は処理を終了し、チューナ１７が受信するＴＶ放送の映像の表示を行う。
【００９６】
図２４は、本発明の実施の形態５に係る再生装置１０３が行う処理の手順を示すフローチャートであり、再生装置１０３が映像の再生処理を行っている状態で開始される処理である。まず、再生装置１０３の制御部３１は、表示装置１０１から送信される切替通知を通信部３７にて受信したか否かを調べる（ステップＳ１０１）。切替通知を受信していない場合（Ｓ１０１：ＮＯ）、制御部３１は、光ディスク５からの映像データを読み出して再生処理部３３にて再生する処理を継続し、切替通知の受信を待機する。切替通知を受信した場合（Ｓ１０１：ＹＥＳ）、制御部３１は、計時部１３８による計時を開始すると共に（ステップＳ１０２）、再生処理部３３による再生処理を停止し（ステップＳ１０３）、表示装置１へ停止通知を送信する（ステップＳ１０４）。
【００９７】
次いで、制御部３１は、計時部１３８による計時が所定時間を経過したか否かを調べ（ステップＳ１０５）、所定時間を経過していない場合には（Ｓ１０５：ＮＯ）、所定時間が経過するまで待機する。所定時間を経過した場合（Ｓ１０５：ＹＥＳ）、制御部３１は、表示装置１０１へ時間経過通知を送信する（ステップＳ１０６）。
【００９８】
次いで、制御部３１は、表示装置１０１から送信される再開通知を受信したか否かを調べる（ステップＳ１０７）。再開通知を受信していない場合（Ｓ１０７：ＮＯ）、制御部３１は再開通知を受信するまで待機する。再開通知を受信した場合（Ｓ１０７：ＹＥＳ）、制御部３１は、再生処理部３３による再生処理を再開して（ステップＳ１０８）、処理を終了し、映像の再生処理を行う。
【００９９】
以上の構成の実施の形態５に係る映像表示システムにおいては、切り替えからの所定時間を計時する計時部１３８を再生装置１０３が備える構成であっても、実施の形態１〜４に係る映像表示システムのように表示装置１が計時部１８を備える構成と同様に、切り替えから所定時間経過後に表示装置１０１がメッセージを表示することができ、ユーザに操作を促すことができる。
【０１００】
なお、実施の形態５に係る映像表示システムのその他の構成は、実施の形態１に係る映像表示システムの構成と同様であるため、同様の箇所には同じ符号を付して詳細な説明を省略する。
【０１０１】
（変形例）
図２５は、本発明の実施の形態５の変形例に係る映像表示システムの処理を説明するための模式図であり、表示装置１０１及び再生装置１０３が行う処理の一例を示してある。上述の実施の形態５に係る映像表示システムは、切り替えから所定時間が経過した場合に、表示装置１０１がメッセージを表示する構成である。これに対して変形例に係る映像表示システムは、切り替えから所定時間が経過し、且つ、視聴中の番組が終了した場合に、表示装置１０１がメッセージを表示する構成である。
【０１０２】
よって、変形例に係る映像表示システムの表示装置１０１は、再生装置１０３が送信する時間経過通知（Ｍ５）を受信した後、チューナ１７にて受信され、表示部１４に表示されている映像に係るＴＶ放送の番組、即ちユーザが視聴中の番組が終了した場合（Ｄ６１）、再生装置１０３による映像の再生を再開するか否かを問い合わせるメッセージを表示する（Ｄ５４）。
【０１０３】
以上の構成の実施の形態５の変形例に係る映像表示装置は、再生装置１０３からの時間経過通知を受信し、且つ、視聴中の番組が終了した場合に、表示装置１０１がメッセージを表示する構成とすることにより、テレビジョン放送に係る番組の視聴を妨げることなく、ユーザに対するメッセージの表示を行うことができる。また、ユーザは視聴していた番組が終了したタイミングで再生装置１０３による映像の視聴を再開することができ、この際にユーザは表示されたメッセージに対する選択操作を行うのみでよいため、ユーザの操作に係る手間を省略して、映像表示システムの操作性及び利便性を向上することができる。
【図面の簡単な説明】
【０１０４】
【図１】本発明の実施の形態１に係る映像表示システムの構成を示すブロック図である。
【図２】本発明の実施の形態１に係る映像表示システムの構成を示すブロック図である。
【図３】本発明の実施の形態１に係る表示装置が表示する映像の表示例である。
【図４】本発明の実施の形態１に係る表示装置が表示する映像の表示例である。
【図５】本発明の実施の形態１に係る映像表示システムの処理を説明するための模式図である。
【図６】本発明の実施の形態１に係る表示装置が行う処理の手順を示すフローチャートである。
【図７】本発明の実施の形態１に係る再生装置が行う処理の手順を示すフローチャートである。
【図８】本発明の実施の形態２に係る表示装置が表示する映像の表示例である。
【図９】本発明の実施の形態２に係る映像表示システムの処理を説明するための模式図である。
【図１０】本発明の実施の形態２に係る表示装置が行う処理の手順を示すフローチャートである。
【図１１】本発明の実施の形態２に係る再生装置が行う処理の手順を示すフローチャートである。
【図１２】本発明の実施の形態３に係る表示装置が表示する映像の表示例である。
【図１３】本発明の実施の形態３に係る映像表示システムの処理を説明するための模式図である。
【図１４】本発明の実施の形態３に係る表示装置が行う処理の手順を示すフローチャートである。
【図１５】本発明の実施の形態３に係る再生装置が行う処理の手順を示すフローチャートである。
【図１６】本発明の実施の形態４に係る映像表示システムの処理を説明するための模式図である。
【図１７】本発明の実施の形態４に係る表示装置が行う処理の手順を示すフローチャートである。
【図１８】本発明の実施の形態４に係る表示装置が行う処理の手順を示すフローチャートである。
【図１９】本発明の実施の形態４の変形例に係る映像表示システムの処理を説明するための模式図である。
【図２０】本発明の実施の形態５に係る映像表示システムの構成を示すブロック図である。
【図２１】本発明の実施の形態５に係る映像表示システムの構成を示すブロック図である。
【図２２】本発明の実施の形態５に係る映像表示システムの処理を説明するための模式図である。
【図２３】本発明の実施の形態５に係る表示装置が行う処理の手順を示すフローチャートである。
【図２４】本発明の実施の形態５に係る再生装置が行う処理の手順を示すフローチャートである。
【図２５】本発明の実施の形態５の変形例に係る映像表示システムの処理を説明するための模式図である。
【符号の説明】
【０１０５】
１  表示装置
３  再生装置
５  光ディスク
７  ケーブル
１１  制御部（切替通知手段、情報表示処理手段、選択通知手段）
１２  操作部（切替操作受付手段、選択受付手段）
１３  表示処理部
１４  表示部（表示部手段）
１５  記憶部
１５ａ  ＥＰＧ（番組表情報）
１６  選択部（選択手段）
１７  チューナ（受信手段）
１８  計時部（計時手段）
２１〜２３  入力端子
２５  入力部
２６  通信部（通信手段）
３１  制御部（停止手段、終了判定手段、経過通知手段）
３２  操作部
３３  再生処理部（再生手段）
３４  ディスクドライブ（記録媒体）
３５  出力端子
３６  出力部
３７  通信部（通信手段）
１０１  表示装置
１０３  再生装置
１３８  計時部（計時手段）
【図１】
2010016490.tif 000003
【図２】
2010016490.tif 000004
【図３】
2010016490.tif 000005
【図４】
2010016490.tif 000006
【図５】
2010016490.tif 000007
【図６】
2010016490.tif 000008
【図７】
2010016490.tif 000009
【図８】
2010016490.tif 000010
【図９】
2010016490.tif 000011
【図１０】
2010016490.tif 000012
【図１１】
2010016490.tif 000013
【図１２】
2010016490.tif 000014
【図１３】
2010016490.tif 000015
【図１４】
2010016490.tif 000016
【図１５】
2010016490.tif 000017
【図１６】
2010016490.tif 000018
【図１７】
2010016490.tif 000019
【図１８】
2010016490.tif 000020
【図１９】
2010016490.tif 000021
【図２０】
2010016490.tif 000022
【図２１】
2010016490.tif 000023
【図２２】
2010016490.tif 000024
【図２３】
2010016490.tif 000025
【図２４】
2010016490.tif 000026
【図２５】
2010016490.tif 000027